(57)【要約】【課題】パチンコ機の前枠の周縁部分に設けられた演出用装置からの放熱を良好に行う。【解決手段】前枠３の前面における複層ガラス６の配置領域の左右の外縁部分に配された発光部３４は、ＬＥＤ３４ａと、ＬＥＤ３４ａを制御するドライバＩＣ３４ｂとを有すると共に、ＬＥＤ３４ａが表側に、ドライバＩＣ３４ｂが裏側に搭載された基板３４ｃ等を有する。基板３４ｃは、裏側のドライバＩＣ３４ｂが、前枠３の背面における複層ガラス６に覆われた被覆領域３５に向かって貫通する空洞部３５ａに配された状態で前枠３に取り付けられ、ドライバＩＣ３４ｂの上面３４ｂ−１は、複層ガラス６に当接した状態となる。【選択図】図６
2014195524.tif 000002
【特許請求の範囲】
【請求項１】
前面に遊技盤が設けられた内枠と、該内枠の前面を開閉可能な状態で取り付けられた前枠とを備える弾球遊技機であって、
前記前枠は、
前記遊技盤に臨む窓部と、
当該前枠の背面における前記窓部の外縁を覆った状態で該窓部を塞ぐ、板状の透明部材と、
当該前枠の前面における前記窓部の周縁に設けられた演出用装置と、
当該前枠の背面における前記透明部材により覆われた被覆領域に形成された開口部に通じた状態で、当該前枠の内部に形成された空洞部と、
を有し、
前記演出用装置の全部または一部が、前記空洞部に配されていること、
を特徴とする弾球遊技機。
【請求項２】
請求項１に記載の弾球遊技機において、
前記演出用装置は、その一部が、前記開口部から突出し、且つ、前記透明部材に当接した状態で、前記空洞部に配されること、
を特徴とする弾球遊技機。
【請求項３】
請求項１に記載の弾球遊技機において、
前記前枠は、前記空洞部に配された前記演出用装置と前記透明部材とに挟まれた状態で、前記演出用装置及び前記透明部材に当接する放熱部をさらに有すること、
を特徴とする弾球遊技機。
【請求項４】
請求項１から請求項３のうちのいずれか１項に記載の弾球遊技機において、
前記透明部材は、透明な放熱性樹脂により構成されていること、
を特徴とする弾球遊技機。
【請求項５】
請求項１から請求項３のうちのいずれか１項に記載の弾球遊技機において、
前記透明部材の背面における前記空洞部に配された前記演出用装置に臨む領域に、放熱を促すための放熱手段が設けられていること、
を特徴とする弾球遊技機。
【請求項６】
請求項１から請求項３のうちのいずれか１項に記載の弾球遊技機において、
前記透明部材における前記空洞部に配された前記演出用装置に臨む部分は、他の部分に比べて放熱性の高い材料により構成されていること、
を特徴とする弾球遊技機。
【発明の詳細な説明】
【技術分野】
【０００１】
本発明は、弾球遊技機に関する。
【背景技術】
【０００２】
近年の弾球遊技機では、高画質の液晶表示装置や多くのＬＥＤや可動物等を用いて様々な趣向を凝らした高度な演出が行われている。そして、演出の高度化に伴い、液晶表示装置の画面サイズが大型化すると共に、演出に用いられるＬＥＤ等が増加する傾向にあり、これらを配置する領域や遊技球の流下領域を十分に確保するため、従来よりも遊技盤の遊技領域が広くなっている。
【０００３】
これに対し、弾球遊技機は、パチンコ店に設けられた既存の島設備に設置される構成であり、その設置スペースは予め定められているため、弾球遊技機の外郭を大型化することはできない。このため、遊技領域を広げることに伴い、弾球遊技機の前枠における遊技領域に面したガラスの周縁部分（枠の部分）の幅が狭まってしまう。
【０００４】
しかしながら、前枠における周縁部分にも演出用のＬＥＤ等が配される場合があるが、このような狭い箇所にＬＥＤ等を配置すると、放熱が十分になされず、誤動作等を引き起こすおそれがある。
【０００５】
ここで、特許文献１には、主制御基板を収納する基板収納ケースに、内部に向かって突出する架台を設け、該架台に当接した状態で、主制御基板を基板収納ケース内部に収納することが記載されている。これにより、主制御基板からの放熱を促すことができ、主制御基板の誤動作等を未然に防ぐことが可能となる。
【先行技術文献】
【特許文献】
【０００６】
【特許文献１】特開２００２−３３１１３６号公報
【発明の概要】
【発明が解決しようとする課題】
【０００７】
しかしながら、前枠の周縁部分は幅が狭く、周縁部分に配されたＬＥＤの制御回路等をこのような収納ケースに収納された状態とするのは困難である。
本願発明は上記課題に鑑みてなされたものであり、前枠の周縁部分に設けられた演出用装置からの放熱を良好に行うことができる弾球遊技機を提供することを目的とする。
【課題を解決するための手段】
【０００８】
上記課題に鑑みてなされた請求項１に係る発明は、前面に遊技盤が設けられた内枠と、該内枠の前面を開閉可能な状態で取り付けられた前枠とを備える弾球遊技機であって、前枠は、遊技盤に臨む窓部と、当該前枠の背面における窓部の外縁を覆った状態で該窓部を塞ぐ、板状の透明部材と、当該前枠の前面における窓部の周縁に設けられた演出用装置と、当該前枠の背面における透明部材により覆われた被覆領域に形成された開口部に通じた状態で、当該前枠の内部に形成された空洞部と、を有し、演出用装置の全部または一部が、空洞部に配されていること、を特徴とする。
【０００９】
このような構成によれば、前枠における窓部の周縁に設けられた演出用装置は、その背面側の全部または一部が開口部から突出した状態で空洞部に配置されるか、或いは、背面側の全部または一部が開口部に臨んだ状態で空洞部に配置される。このため、演出用装置にて生じた熱を開口部から放出することができ、演出用装置からの放熱を良好に行うことが可能となる。
【００１０】
また、空洞部の開口部は前枠の背面側に形成されるため、遊技者の目に留まることは無く、弾球遊技機の美観を損なうことは無い。
具体的には、請求項２に記載されているように、演出用装置は、その一部が、開口部から突出し、且つ、透明部材に当接した状態で、空洞部に配されても良い。
【００１１】
このような構成によれば、演出用装置にて生じた熱が透明部材に伝導し易くなり、透明部材を介して演出用装置の放熱がなされるようになるため、演出用装置からの放熱を良好に行うことができる。
【００１２】
また、請求項３に記載されているように、前枠は、空洞部に配された演出用装置と透明部材とに挟まれた状態で、演出用装置及び透明部材に当接する放熱部をさらに有していても良い。
【００１３】
このような構成によれば、演出用装置は、放熱部を介して透明部材に当接した状態で配されるため、演出用装置にて生じた熱が透明部材に伝導し易くなる。このため、透明部材を介して演出用装置の放熱がなされるようになり、演出用装置からの放熱を良好に行うことができる。
【００１４】
また、請求項４に記載されているように、透明部材は、透明な放熱性樹脂により構成されていても良い。
このような構成によれば、演出用装置から透明部材に伝導した熱が、透明部材全体から良好に放熱される。このため、透明部材に熱が篭り難くなり、その結果、演出用装置からの放熱を良好に行うことができる。
【００１５】
また、請求項５に記載されているように、透明部材の背面における空洞部に配された演出用装置に臨む領域に、放熱を促すための放熱手段が設けられていても良い。
このような構成によれば、演出用装置から透明部材に伝導した熱が、放熱手段から良好に放熱される。このため、透明部材に熱が篭り難くなり、その結果、演出用装置からの放熱を良好に行うことができる。
【００１６】
また、空洞部の開口部は、前枠の背面における透明部材に覆われる被覆領域に形成されるため、透明部材の背面における演出用装置に臨む領域は、前枠に覆われた状態となる。このため、該領域に設けられた放熱手段が遊技者の目に留まることは無く、弾球遊技機の美観を損なうことは無い。
【００１７】
また、請求項６に記載されているように、透明部材における空洞部に配された演出用装置に臨む部分は、他の部分に比べて放熱性の高い材料により構成されていても良い。
このような構成によれば、演出用装置から透明部材に伝導した熱が、透明部材における演出用装置に臨む部分から良好に放熱される。このため、透明部材に熱が篭り難くなり、その結果、演出用装置からの放熱を良好に行うことができる。
【００１８】
また、空洞部の開口部は、前枠の背面における透明部材に覆われる被覆領域に形成されるため、透明部材における演出用装置に臨む部分は、前枠に覆われた状態となる。このため、該部分が他の部分とは異なる材料で構成されていても、このことが遊技者の目に留まることは無く、弾球遊技機の美観を損なうことは無い。
【図面の簡単な説明】
【００１９】
【図１】本実施形態のパチンコ機の外枠，内枠，前枠の概略斜視図である。
【図２】本実施形態の前枠に取り付けられる複層ガラスの正面図である。
【図３】本実施形態の前枠の正面図である。
【図４】本実施形態の前枠の右側面図である。
【図５】本実施形態の前枠の背面図である。
【図６】本実施形態の発光部の概略を示す断面図である。
【図７】変形例の発光部の概略を示す断面図である。
【図８】変形例の発光部の概略を示す断面図である。
【発明を実施するための形態】
【００２０】
以下、本発明の実施形態について図面を用いて説明する。なお、本発明の実施の形態は、下記の実施形態に何ら限定されることはなく、本発明の技術的範囲に属する限り種々の形態を採りうる。
【００２１】
［構成の説明］
図１に記載されているように、本実施形態のパチンコ機１００は、外枠１，内枠２，前枠３で構成されている。外枠１は、縦長の矩形状に形成され、その前面側に内枠２が設けられている。内枠２は、一方の側端２ａ（図１の左側）の上端および下端が、ヒンジ部材５，５により外枠１に結合され、水平方向に開閉可能である。また、内枠２には、前側に遊技盤が設置され、遊技盤の背面側には、遊技の進行を制御する主制御装置や、演出を制御するサブ統合制御装置等の各種装置が設置される。
【００２２】
また、前枠３は、内枠２の前面を覆うように設けられ、内枠２と同様に、一方の側端３ａが、上下のヒンジ部材５，５により、水平方向に開閉可能な状態で外枠１に取り付けられている。前枠３の中央に形成された窓部には、複層ガラス６（図２参照）が嵌め込まれ、該複層ガラス６により内枠２の遊技盤の前面を覆うと共に、遊技者が複層ガラス６を介して遊技盤と対面する構成となっている。
【００２３】
また、前枠３の前面下部には、遊技盤へ発射する遊技球を貯留する上皿３１，下皿３２、及び、遊技球の発射装置を操作する発射ハンドル３３等が設けられている（図３，４参照）。
【００２４】
また、内枠２には、その開放端側の側端２ｂに、上下方向に沿って施錠装置４が設置されており、施錠装置４により内枠２の開放端側の側端２ｂを外枠１に施錠すると共に、該側端２ｂに、前枠３の開放端側の側端３ｂを施錠する構成となっている。
【００２５】
パチンコ機１００は、外枠１をパチンコ店に設けられた島設備に固定することで設置されるが、このような構成により、パチンコ機１００の裏面側で操作が必要な時には、施錠装置４を開錠し、内枠２を開放して裏面側での作業を行うことができる。また、遊技盤の前面で球詰り解消等の作業が必要な時には、施錠装置４を開錠し、前枠３を開放して内枠２の前面側の作業を行うことができる。
【００２６】
次に、前枠３の構成について詳しく説明する。
図５に記載されているように、複層ガラス６は、前枠３の背面（遊技盤側の面）における窓部の外縁をなす被覆領域３５を覆った状態で、背面側から前枠３に取り付けられている。この被覆領域３５には、１または複数の空洞部３５ａ（詳細は後述する）が形成されている。
【００２７】
また、図３に記載されているように、前枠３における複層ガラス６が配された窓部の左右の外縁部分には、ＬＥＤ等により構成された発光部３４が配されている。なお、発光部３４は、主制御装置やサブ統合制御装置からの指示に応じて発光する構成としても良い。
【００２８】
発光部３４は、ＬＥＤ３４ａと、ＬＥＤ３４ａを制御するドライバＩＣ３４ｂとを有すると共に、該ＬＥＤ３４ａが表側に、該ドライバＩＣ３４ｂが裏側に搭載された基板３４ｃ等を有する（図６参照）。基板３４ｃは、表側のＬＥＤ３４ａが遊技者側に位置し、且つ、裏側のドライバＩＣ３４ｂが、前枠３の背面の被覆領域３５に向かって貫通する矩形の孔状の空洞部３５ａに配された状態で前枠３に取り付けられる。
【００２９】
無論、空洞部３５ａの形状はこれに限定されることは無く、当該空洞部３５ａに収納される部品の形状に応じて随時形状を定めることができる。
そして、基板３４ｃが取り付けられた際には、ドライバＩＣ３４ｂは、被覆領域３５に形成された空洞部３５ａの開口部から上面３４ｂ−１が突出した状態となり、ドライバＩＣ３４ｂの上面３４ｂ−１と複層ガラス６の前面（遊技者側の面）とが当接した状態となる。
【００３０】
こうすることにより、ドライバＩＣ３４ｂからの放熱を良好に行うことができ、ドライバＩＣ３４ｂの誤動作等を防ぐことができる。
［変形例について］
本実施形態では、発光部３４のドライバＩＣ３４ｂは、上面３４ｂ−１が複層ガラス６の前面に当接した状態で配されているが、ドライバＩＣ３４ｂは、若干の隙間を空けて上面３４ｂ−１と複層ガラス６とが対面した状態で配されていても良い。このような場合であっても、ドライバＩＣ３４ｂからの放熱を良好に行うことができる。
【００３１】
このほかにも、ドライバＩＣ３４ｂの上面３４ｂ−１に熱伝導率の高い材料で構成された放熱シート３４ｄを配置しても良い。そして、放熱シート３４ｄが複層ガラス６に当接した状態で（放熱シート３４ｄが複層ガラス６とドライバＩＣ３４ｂの上面３４ｂ−１に挟まれた状態で）ドライバＩＣ３４ｂを配しても良い（図７（ａ）参照）。
【００３２】
なお、このようにして放熱シート３４ｄを介してドライバＩＣ３４ｂの上面３４ｂ−１と複層ガラス６とを当接させる場合には、上面３４ｂ−１が空洞部３５ａの開口部に達しない状態でドライバＩＣ３４ｂを配置しても良いし、上面３４ｂ−１が空洞部３５ａの開口部から突出した状態でドライバＩＣ３４ｂを配置しても良い。
【００３３】
このような構成を有する場合であっても、ドライバＩＣ３４ｂからの放熱を良好に行うことができる。
また、ドライバＩＣ３４ｂの上面３４ｂ−１には、弾力性を有する放熱シート３４ｄ（例えば、樹脂製の放熱シート）を配置するのが望ましい。こうすることにより、複層ガラス６の損傷を防ぐことができる。
【００３４】
また、複層ガラス６の背面（遊技盤側の面）におけるドライバＩＣ３４ｂの上面３４ｂ−１に臨む領域（以後、対面領域と記載）に、放熱を促すための放熱手段を配置しても良い。
【００３５】
具体的には、上記放熱手段として、対面領域に放熱シート６ａを配置しても良いし（図７（ｂ）参照）、複数の突起物からなる突起部６ｂを設けても良い（図８（ａ）参照）。なお、複層ガラス６の背面の対面領域の形状を加工することで突起部６ｂを設けても良いし、熱伝導率の高い材料からなる突起物を対面領域に取り付けることで、突起部６ｂを設けても良い。
【００３６】
また、放熱シート６ａや突起部６ｂは、少なくとも対面領域全体にわたって配されていても良いし、対面領域の一部に配されていても良い。
また、複層ガラス６におけるドライバＩＣ３４ｂの上面３４ｂ−１に臨む部分（以後、対面部分と記載）を、他の部分よりも放熱性の高い放熱部材６ｃにより構成しても良い（図８（ｂ）参照）。該放熱部材６ｃは、例えば、上述した放熱シートと同様の材料で構成されていても良いし、熱伝導率の高い放熱性の樹脂（例えば、樹脂材料に熱伝導性を有するフィラーを分散させて生成されたもの）で構成されていても良い。
【００３７】
なお、放熱部材６ｃは、少なくとも対面部分全体にわたって配されていても良いし、その一部が複層ガラス６の背面に露出した状態で、対面部分の一部に配されていても良い。
また、複層ガラス６に替えて、複層ガラス６よりも放熱性の高い透明な板状部材を用いても良い。具体的には、例えば、熱伝導率の高い透明な上述した放熱性の樹脂等を用いることが考えられる。
【００３８】
これらの構成を有することにより、ドライバＩＣ３４ｂからの放熱をより良好に行うことができる。
［他の実施形態］
（１）本実施形態では、発光部３４のドライバＩＣ３４ｂが前枠３の内部に形成された空洞部３５ａに配される構成となっているが、発光部３４の他の構成要素が空洞部３５ａに配されても良い。このような場合であっても、同様にして良好に放熱を行うことができる。
【００３９】
また、発光部３４全体を配置可能な空洞部を前枠３に形成し、その全体が空洞部に埋もれた状態で発光部３４を配する構成としても良い。さらに、発光部３４の底部の全部または一部が複層ガラスに当接する構成とするか、或いは、発光部３４の底部の全部または一部に放熱シートを配置し、放熱シートを介して発光部３４の底部が複層ガラスに当接する構成としても良い。
【００４０】
このような場合であっても、同様にして良好に放熱を行うことができる。
（２）また、発光部３４に替えて、可動物やスピーカ等といった他の演出用装置を前枠３の周縁部分に配置する構成としても良い。
【００４１】
このような場合には、同様にして、空洞部３５ａに他の演出用装置の全部または一部を配することが考えられる（具体的には、例えば、演出用装置が可動物であれば、モータやソレノイドを駆動させるドライバＩＣ等を空洞部３５ａに配置しても良い）。そして、演出用装置が、直接的、或いは、放熱シートを介して間接的に複層ガラス６に当接した状態とすることが考えられる。
【００４２】
このような場合であっても、同様にして良好に放熱を行うことができる。
（３）また、本実施形態のパチンコ機１００は、内部に封入された遊技球を循環的に使用して遊技を行う封入式のパチンコ機として構成されていても良い。このような場合であっても、同様にして良好に放熱を行うことができる。
【００４３】
［特許請求の範囲との対応］
上記実施形態の説明で用いた用語と、特許請求の範囲の記載に用いた用語との対応を示す。
【００４４】
パチンコ機１００が弾球遊技機に、複層ガラス６が透明部材に、放熱シート３４ｄが放熱部に相当する。
【符号の説明】
【００４５】
１…外枠、２…内枠、３…前枠、４…施錠装置、５…ヒンジ部材、６…複層ガラス、６ａ…放熱シート、６ｂ…突起部、６ｃ…放熱部材、３１…上皿、３２…下皿、３３…発射ハンドル、３４…発光部、３４ａ…ＬＥＤ、３４ｂ…ドライバＩＣ、３４ｂ−１…上面、３４ｃ…基板、３４ｄ…放熱シート、３５…被覆領域、３５ａ…空洞部、１００…パチンコ機。
【図１】
2014195524.tif 000003
【図２】
2014195524.tif 000004
【図３】
2014195524.tif 000005
【図４】
2014195524.tif 000006
【図５】
2014195524.tif 000007
【図６】
2014195524.tif 000008
【図７】
2014195524.tif 000009
【図８】
2014195524.tif 000010